(57)【要約】【課題】媒体によって回収される熱エネルギーの利用が可能であって、しかも原料油の温度が高く粘性も低くできるカーボンブラックの製造方法及びその装置を提供する。【解決手段】原料油を加熱又は冷却可能な媒体を流している噴霧ノズル１２から、原料油を高温燃焼ガス流中に噴霧して反応させ、原料油からカーボンブラックを製造するカーボンブラックの製造方法及びその装置１０において、媒体の噴霧ノズル１２への入口側温度が、噴霧ノズル１２への原料油の入口側温度と同一であるか又はそれ以上とし、更に好ましくは、媒体に熱媒又は原料油を使用している。【選択図】        図１
2004277443.tif 000002
【特許請求の範囲】
【請求項１】
一部又は全部が高温燃焼ガス中にある噴霧ノズルから、原料油を高温燃焼ガス流中に噴霧して反応させ、この原料油からカーボンブラックを製造するカーボンブラックの製造方法において、
前記噴霧ノズルに、該噴霧ノズルと前記原料油を加熱又は冷却可能な媒体を流す媒体流路を備え、
前記媒体の前記噴霧ノズルへの入口側温度が、前記噴霧ノズルへの前記原料油の入口側温度と同一であるか又はそれ以上であることを特徴とするカーボンブラックの製造方法。
【請求項２】
請求項１記載のカーボンブラックの製造方法において、前記媒体は高沸点油からなる熱媒であって、前記噴霧ノズルの入口側温度が、前記原料油の沸点温度以下の高温度状態であることを特徴とするカーボンブラックの製造方法。
【請求項３】
請求項１及び２のいずれか１項に記載のカーボンブラックの製造方法において、前記媒体が前記噴霧ノズルを通過することによって得た熱エネルギーによって、前記原料油及び／又は前記高温燃焼ガス流を発生する燃焼用バーナの燃料を予熱することを特徴とするカーボンブラックの製造方法。
【請求項４】
請求項１記載のカーボンブラックの製造方法において、前記媒体が、前記原料油自体であることを特徴とするカーボンブラックの製造方法。
【請求項５】
請求項４記載のカーボンブラックの製造方法において、前記媒体が前記噴霧ノズルを通過することによって得た熱エネルギーによって、前記高温燃焼ガス流を発生する燃焼用バーナの燃料を予熱することを特徴とするカーボンブラックの製造方法。
【請求項６】
請求項４及び５のいずれか１項に記載のカーボンブラックの製造方法において、前記媒体の循環路には、該媒体の温度調整手段を有し、前記噴霧ノズルに供給する前記媒体の温度を制御することを特徴とするカーボンブラックの製造方法。
【請求項７】
燃料と酸素含有ガスを燃焼させて高温燃焼ガス流を発生させる高温燃焼ガス流発生部と、該高温燃焼ガス流発生部に配置されて、原料油を噴射する噴霧ノズルとを備え、しかも該噴霧ノズルには、その外側に該噴霧ノズル自体を加熱又は冷却可能な媒体を流す媒体流路を有し、前記噴霧ノズルから前記高温燃焼ガス流中に前記原料油を噴霧してカーボンブラックを製造するカーボンブラックの製造装置において、
前記媒体としてその沸点が前記原料油の沸点より高い高沸点油からなる熱媒を使用し、前記媒体の循環路に前記噴霧ノズルから与えられた熱エネルギーを回収する熱交換器を設けたことを特徴とするカーボンブラックの製造装置。
【請求項８】
請求項７記載のカーボンブラックの製造装置において、前記熱交換器によって、前記高温燃焼ガス流の発生用の燃料及び／又は前記原料油を加熱することを特徴とするカーボンブラックの製造装置。
【請求項９】
燃料と酸素含有ガスを燃焼させて高温燃焼ガス流を発生させる高温燃焼ガス流発生部と、該高温燃焼ガス流発生部に配置されて、原料油を噴射する噴霧ノズルとを備え、しかも該噴霧ノズルには、その外側に該噴霧ノズル自体を加熱又は冷却可能な媒体を流す媒体流路を有し、前記噴霧ノズルから前記高温燃焼ガス流中に前記原料油を噴霧してカーボンブラックを製造するカーボンブラックの製造装置において、
前記媒体が前記原料油自体であり、前記噴霧ノズルで前記原料油の予熱を行い、更に前記媒体の循環路に、該媒体の温度調整を行う温度調整手段を設けたことを特徴とするカーボンブラックの製造装置。
【発明の詳細な説明】
【０００１】
【発明の属する技術分野】
本発明は、高温燃焼ガス流に噴霧ノズルを用いて、例えば炭化水素油等からなる原料油を吹き込んで、カーボンブラックを製造する方法及び装置に関する。
【０００２】
【従来の技術】
ファーネス法によりカーボンブラックを製造するには、例えば、特許文献１に記載のように、一般に円筒状のカーボンブラック製造炉の基側に、炉軸方向又はその接線方向に酸素含有ガスと燃料を導入して、これらの燃焼によって高温燃焼ガス流を形成し、この高温燃焼ガス流中に噴霧ノズルより原料炭化水素を導入してカーボンブラックを生成させている。
そして、噴霧ノズルは周囲の高温燃焼ガス流によって加熱されるので、外側に冷却媒体のジャケット部を設け、この噴霧ノズルの温度上昇を抑制している。
【０００３】
【特許文献１】
特開平３−６８６６５号公報
【０００４】
【発明が解決しようとする課題】
しかしながら、従来のカーボンブラックの製造装置においては、原料を供給する噴霧ノズルの冷却には媒体（即ち、冷却媒体）として水を使用しているので、以下のような問題があった。
（１）冷却媒体である水の温度は、例えば噴霧ノズルの入口側で４３℃、出口側で６０℃程度であったが、６０℃程度の温水では熱回収も難しく他に用途がないので、そのまま外部に捨てていた。このため、熱エネルギーと水を無駄にしていた。勿論、冷却水をある程度循環させれば、更に高温の温水を確保することも可能であるが、それでも１００℃未満であり、カーボンブラックを製造しようとする化学工場では用途がない。
（２）噴霧ノズルに供給する冷却水によって、噴霧ノズルから供給される原料が冷やされ、このため、原料の粘度が大きくなって、噴霧される原料の粒径が大きくなりやすく、更には、熱効率も低下する。
本発明はかかる事情に鑑みてなされたもので、媒体によって回収される熱エネルギーの利用が可能であって、しかも原料油の温度が高く粘性も低くできるカーボンブラックの製造方法及びその装置を提供することを目的とする。
【０００５】
【課題を解決するための手段】
前記目的に沿う第１の発明に係るカーボンブラックの製造方法は、一部又は全部が高温燃焼ガス中にある噴霧ノズルから、原料油を高温燃焼ガス流中に噴霧して反応させ、この原料油からカーボンブラックを製造するカーボンブラックの製造方法において、
前記噴霧ノズルに、該噴霧ノズルと前記原料油を加熱又は冷却可能な媒体を流す媒体流路を備え、
前記媒体の前記噴霧ノズルへの入口側温度が、前記噴霧ノズルへの前記原料油の入口側温度と同一であるか又はそれ以上としている。
これによって、噴霧ノズルを通過する媒体によって原料油を加熱又は冷却することが可能となり、更には、噴霧ノズルから出る媒体の温度が高くなるので、媒体が吸収した熱エネルギーの利用が容易となる。
【０００６】
また、第２の発明に係るカーボンブラックの製造方法は、第１の発明に係るカーボンブラックの製造方法において、前記媒体は高沸点油からなる熱媒であって、前記噴霧ノズルの入口側温度が、前記原料油の沸点温度以下の高温度状態である。
これによって、原料油を加熱することができると共に、媒体の温度を高温度とすることができるので、熱回収が容易となる。
第３の発明に係るカーボンブラックの製造方法は、第１及び第２の発明に係るカーボンブラックの製造方法において、前記媒体が前記噴霧ノズルを通過することによって得た熱エネルギーによって、前記原料油及び／又は前記高温燃焼ガス流を発生する燃焼用バーナの燃料を予熱している。
これによって、噴霧ノズルに吸収される熱エネルギーを直接回収できる。
【０００７】
第４の発明に係るカーボンブラックの製造方法は、第１の発明に係るカーボンブラックの製造方法において、前記媒体が、前記原料油自体である。
これによって、原料油で熱エネルギーを回収すると共に、原料油を加熱して粘性を低くし、流動性を増して噴霧される原料油をより小粒とすることができる。
第５の発明に係るカーボンブラックの製造方法は、第４の発明に係るカーボンブラックの製造方法において、前記媒体が前記噴霧ノズルを通過することによって得た熱エネルギーによって、前記高温燃焼ガス流を発生する燃焼用バーナの燃料を予熱している。
第６の発明に係るカーボンブラックの製造方法は、第４及び第５の発明に係るカーボンブラックの製造方法において、前記媒体の循環路には、該媒体の温度調整手段を有し、前記噴霧ノズルに供給する前記媒体の温度を制御している。
【０００８】
第７の発明に係るカーボンブラックの製造装置は、燃料と酸素含有ガスを燃焼させて高温燃焼ガス流を発生させる高温燃焼ガス流発生部と、該高温燃焼ガス流発生部に配置されて、原料油を噴射する噴霧ノズルとを備え、しかも該噴霧ノズルには、その外側に該噴霧ノズル自体を加熱又は冷却可能な媒体を流す媒体流路を有し、前記噴霧ノズルから前記高温燃焼ガス流中に前記原料油を噴霧してカーボンブラックを製造するカーボンブラックの製造装置において、
前記媒体としてその沸点が前記原料油の沸点より高い高沸点油からなる熱媒を使用し、前記媒体の循環路に前記噴霧ノズルから与えられた熱エネルギーを回収する熱交換器を設けている。
これによって、噴霧ノズルから回収される熱エネルギーは、熱交換器によって回収され、この場合、媒体の温度を高くすることによって熱効率が増す。
第８の発明に係るカーボンブラックの製造装置は、第７の発明に係るカーボンブラックの製造装置において、前記熱交換器によって、前記高温燃焼ガス流の発生用の燃料及び／又は前記原料油を加熱している。
【０００９】
そして、第９の発明に係るカーボンブラックの製造装置は、燃料と酸素含有ガスを燃焼させて高温燃焼ガス流を発生させる高温燃焼ガス流発生部と、該高温燃焼ガス流発生部に配置されて、原料油を噴射する噴霧ノズルとを備え、しかも該噴霧ノズルには、その外側に該噴霧ノズル自体を加熱又は冷却可能な媒体を流す媒体流路を有し、前記噴霧ノズルから前記高温燃焼ガス流中に前記原料油を噴霧してカーボンブラックを製造するカーボンブラックの製造装置において、
前記媒体が前記原料油自体であり、前記噴霧ノズルで前記原料油の予熱を行い、更に前記媒体の循環路に、該媒体の温度調整を行う温度調整手段を設けている。これによって、原料油が加熱されるので、粘性が小さくなり、熱効率も向上する。
【００１０】
【発明の実施の形態】
続いて、添付した図面を参照しつつ、本発明を具体化した実施の形態につき説明し、本発明の理解に供する。
ここに、図１は本発明の第１の実施の形態に係るカーボンブラックの製造装置の概略説明図、図２は本発明の第２の実施の形態に係るカーボンブラックの製造装置の説明図、図３は本発明の第３の実施の形態に係るカーボンブラックの製造装置の説明図である。
【００１１】
図１に示すように、本発明の第１の実施の形態に係るカーボンブラックの製造装置１０は、高温燃焼ガス流の発生部（高温燃焼ガス流発生部）となる炉体１１と、炉体１１の軸心に配置されている噴霧ノズル１２とを有している。炉体１１は先側がテーパー部１３を有し、更にその下流側にはカーボンブラックの生成を行う絞り部１４を備え、絞り部１４の更に下流側にはカーボンブラックの生成反応を停止させる図示しない反応停止領域を有している。
炉体１１の側壁基部には、接線方向又は接線方向よりやや内側を向けて複数の燃焼用バーナ１５が設けられ、酸素含有ガスと燃料とを供給して混合燃焼し、炉体１１内に高温燃焼ガスの旋回流を発生させている。
【００１２】
炉体１１の軸心に配置された噴霧ノズル１２は、図１に示すように中央の原料油噴出管１６と、その周囲に設けられ、媒体の温度によって冷却部とも加熱部ともなる媒体流路１７とを有し、炉体１１に対して噴霧ノズル１２は進退可能に配置されている。
媒体流路１７は、同心上に配置され、前後を閉塞された外管１８及び内管１９と、外管１８及び内管１９の間に配置され、外管１８及び内管１９内に外側流路２０及び内側流路２１を形成する仕切り管２２とを備えている。仕切り管２２の先側には連通部２３が形成され、外側流路２０及び内側流路２１を連通している。媒体流路１７の基側には、内側流路２１に繋がる媒体の流入口２４と外側流路２０に繋がる媒体の流出口２５が設けられている。
【００１３】
そして、カーボンブラックの製造装置１０は、炉体１１及び噴霧ノズル１２とは別に、媒体の一例である熱媒の貯留タンク２６、貯留タンク２６から熱媒を送り出すポンプ２７が設けられ、噴霧ノズル１２の流入口２４から熱媒を供給して、媒体流路１７を通って流出口２５から排出されるようになっている。流出口２５から排出された熱媒は、熱媒の循環路に設けた第１の熱交換器２８及び第２の熱交換器２９を介して貯留タンク２６に戻るようになっている。
熱媒の循環路に含まれるこの貯留タンク２６内には、図示しない温度調整手段が設けられ、常時熱媒の温度を一定温度（例えば、２００℃）に保持するようにしている。流入口２４から供給され、媒体流路１７を通過する熱媒は燃焼用バーナ１５から発生する高温燃焼ガスによって加熱され、例えば、約３００℃になって流出口２５から排出される。これによって、噴霧ノズル１２の温度は最高が例えば３００℃程度に保持され、熱媒によって冷却されていることになる。
【００１４】
一方、媒体流路１７を通過する単位時間当たりの熱媒の量をＱｋｇ／ｈ、比熱をρとすると、以上のような場合、噴霧ノズル１２を通過することによって、熱媒は（３００−２００）×Ｑ×ρ（Ｋｃａｌ／ｈ）の熱量を吸収することになる。これを第１の熱交換器２８に通して、原料油（例えば、クレオソート油）を加熱する。具体的には８０℃の原料油を約１５０℃に加熱することができる。熱媒の噴霧ノズル１２への入口側温度が原料油の噴霧ノズル１２への入口側温度と同一かそれ以上となる。
そして、１５０℃の原料油を原料油噴出管１６に供給すると、通過する間に２００〜３００℃の熱媒によって加熱され、先部のノズルから高温燃焼ガス中に噴出される。この場合、原料油は更に加熱されて粘性が低くなり、更には一部が気化して先部のノズルから、高温燃焼ガス流中に噴出される。これによって、原料油の噴霧ノズル１２から噴出される粒の径をより小さくし、更には、熱効率を高めて、より粒径の小さいカーボンブラックが形成される。
第１の熱交換器２８を通過した熱媒は第２の熱交換器２９に入り、燃焼用バーナ１５の燃料油（一般には重油）を、約８０℃から１５０℃に加熱する。これによって、熱媒は約２００℃になって、貯留タンク２６に戻る。
なお、貯留タンク２６に戻る熱媒の温度が２００℃を超える場合には、前記した温度調整手段によって降温し、２００℃未満の場合には、温度調整手段によって昇温する。また、ポンプ２７の回転速度を変えて、熱媒の供給量を変え、熱媒の温度を最適温度（原料油の沸点温度以下の高温度状態）に調整することもできる。
この実施の形態のように、噴霧ノズル１２に原料油より温度の高い熱媒（高沸点油からなる）を供給して、原料油を加熱すると共に、更に熱媒を水の沸点より十分高温度に加熱して熱回収を行うことができる。
なお、この実施の形態においては、第１の熱交換器２８で原料油を予熱し、第２の熱交換器２９で燃料油を加熱したが、これに限定されず、他の液体（例えば、水）又は気体の加熱に使用してもよい。
【００１５】
続いて、図２に示す本発明の第２の実施の形態に係るカーボンブラックの製造装置３１について説明する。なお、カーボンブラックを製造する炉体及び噴霧ノズルの構造は第１の実施の形態と同じであるので、同一の番号を付して詳しい説明は省略する（以下の実施の形態においても同様）。
第２の実施の形態に係るカーボンブラックの製造装置３１は、原料油（例えば、クレオソート油）を媒体（即ち、冷却媒体）として使用するもので、媒体流路１７及びその軸心に配置された原料油噴出管１６を備えた噴霧ノズル１２を備えている。媒体流路１７の流入口２４には、原料油タンク３２に貯留された原料油がポンプ３３及び流量計３４を介して供給されている。媒体流路１７の流出口２５からは、加熱された原料油を排出し、その一部を絞り弁３５を介して原料油噴出管１６に供給し、残りの原料油をクーラー３６を介して原料油タンク３２に戻している。
【００１６】
原料油タンク３２には常時その沸点以下（又は未満）の約１５０〜１８０℃に加熱された原料油が貯留され、噴霧ノズル１２に送られ、周囲の高温燃焼ガス流（１５００〜２０００℃）から噴霧ノズル１２の過熱を防止している。噴霧ノズル１２によってその沸点以下の約２００〜２３０℃に加熱されて、流出口２５から排出され、その一部は、絞り弁３５を介して原料油噴出管１６に供給される。この実施の形態においては、媒体流路１７を流れる原料油は、例えば約３０ｍ３  ／ｈであるのに対して、原料油噴出管１６に供給される原料油は１．５〜３ｍ３  ／ｈである。
媒体流路１７で加熱された原料油はそのまま戻すと、原料油の温度が徐々に上がるので、途中にクーラー３６が設けられて、原料油の温度を１５０〜１８０℃程度に下げている。なお、このクーラー３６の代わりに、原料油タンク３２内に温度調整手段（例えば、冷却配管及び加熱配管）を設けることによって、温度を調整することもできる。
原料油噴出管１６に供給された原料油は、先端のノズルから高温燃焼ガス流中に吹き込まれる。この実施の形態においては、原料油は原料油噴出管１６の入り側部分で沸点以下になるように、ポンプ３３の供給量、クーラー３６の冷却状態を調整するのが好ましい。
【００１７】
次に、図３を参照しながら本発明の第３の実施の形態に係るカーボンブラックの製造装置３８について説明する。この実施の形態においては、原料油を冷却用の媒体として使用し、更に、加熱された原料油を用いて燃焼用バーナ１５の燃料の加熱を行っている。
即ち、図３に示すように、原料油タンク３２からポンプ３３を介して、１５０〜１８０℃の例えば、クレオソート油からなる原料油が媒体流路１７の媒体の流入口２４に供給される。媒体流路１７を原料油が通過すると原料油によって噴霧ノズル１２が冷却されるが、原料油は加熱されて、噴霧ノズル１２の流出口２５から排出される。流出口２５から排出された原料油の一部は絞り弁３５を介して原料油噴出管１６に供給され、残りは絞り弁３９、熱交換器４０を介して原料油タンク３２に戻る。熱交換器４０においては、燃焼用バーナ１５の燃料が予熱されて、熱エネルギーの回収が行われ媒体と原料油の温度が制御されている。
【００１８】
原料油噴出管１６を通過した原料油は先部のノズルから高温燃焼ガス流中に噴出される。ここで、原料油は噴出ノズル１２の媒体流路１７によって予熱されているので、沸点により近い温度になって、効率的に噴霧ノズル１２から噴出される。原料油は、原料油噴出管１６の基側の部分で沸点を超えないように、全体の温度制御を行うのが好ましい。この実施の形態では、熱交換器４０で燃料油が加熱されているが、他の液体又は気体であってもよい。
なお、原料油を使用すると原料油タンク３２内の原料油が減少するので、弁４２を開いて新しい原料油を供給する。この原料の供給に当たって、原料油タンク３２の液面レベルをセンサーで検知し、液面が所定値より低い場合には自動的に弁４２を開く制御を行うのが好ましい。また、原料油タンク３２内には温度調整手段４１が設けられて、原料油を所定温度に保持している。
【００１９】
本発明は前記実施の形態に限定されるものではなく、例えば、前記実施の形態を組み合わせて発明を構成する場合にも適用される。また、前記実施の形態では原料油としてクレオソート油を用いたが、別の原料油、例えば、重油、ベンゼン、トルエン、キシレン、ナフタリン、アントラセン等の芳香族炭化水素、カルボン酸油等の石炭系炭化水素、エチレンヘビーエンドオイル、ＦＣＣオイル等の石油系重質油、アセチレン系不飽和炭化水素、エチレン系炭化水素、ペンタンやヘキサン等の脂肪族飽和炭化水素が好適に用いられる。
また、前記実施の形態においては、媒体流路に対して原料油噴出管の位置は一定であったが、媒体流路に対して原料油噴出管を進退自在に設けることもでき、これによって、原料油噴出管を高温燃焼ガス流中に露出させ、原料油噴出管の先部を加熱して原料油の温度を更に上昇させることもできる。この場合、原料油は液体の状態より、気液混合状態であるのがより好ましい。なお、噴霧ノズルの一部又は全部が高温燃焼ガス中に露出してもよい。
更には、前記実施の形態においては、噴霧ノズルとして原料油のみを噴出する一流体ノズルで説明したが、噴霧ノズルに原料油と気体（例えば、空気）を同時に供給して噴霧ノズルの先部が混合し、気体圧によって原料油を吹き出す二流体ノズルにも本発明は当然適用できる。
【００２０】
【発明の効果】
請求項１〜６記載のカーボンブラックの製造方法においては、媒体の噴霧ノズルへの入口側温度が、噴霧ノズルへの原料油の入口側温度と同一であるか又はそれ以上であり、噴霧ノズルを冷却しようとする媒体によって原料油が冷却されないので、熱効率が向上する。更には、原料油の流動性も確保できる。
特に、請求項２記載のカーボンブラックの製造方法においては、媒体は高沸点油からなる熱媒であって、原料油の沸点温度以下の高温度状態で、噴霧ノズルに供給されているので、原料油を積極的に加熱し、更には、噴霧ノズルから排出される媒体は更に高温になるので、熱回収が容易となる。
【００２１】
請求項３記載のカーボンブラックの製造方法においては、媒体が噴霧ノズルを通過することによって得た熱エネルギーによって、原料油及び／又は高温燃焼ガス流を発生する燃焼用バーナの燃料を予熱しているので、全体的な熱効率が向上する。
請求項４記載のカーボンブラックの製造方法においては、媒体が、原料油自体であるので、原料油の直接予熱が可能となる。
請求項５記載のカーボンブラックの製造方法においては、媒体が噴霧ノズルを通過することによって得た熱エネルギーによって、高温燃焼ガス流を発生する燃焼用バーナの燃料を予熱するので、全体的熱効率が向上する。
請求項６記載のカーボンブラックの製造方法においては、媒体の循環路には温度調整手段が設けられ、噴霧ノズルに供給する媒体の温度が制御されているので、制御系が安定し結果として設備自体の運転状態が安定する。
【００２２】
請求項７及び８記載のカーボンブラックの製造装置においては、噴霧ノズルの媒体に高沸点油からなる熱媒を使用し、熱媒の循環路に噴霧ノズルから与えられた熱エネルギーを回収する熱交換器を設けたので、媒体の温度を可能な限り上げることが可能となり、これによって、原料油の加熱が可能となり、更には熱回収が容易となる。
特に、請求項８記載のカーボンブラックの製造装置においては、熱交換器によって、原料油及び／又は高温燃焼ガス流を発生させる燃焼用バーナの燃料を加熱したので、全体的な熱効率が向上する。
請求項９記載のカーボンブラックの製造装置においては、噴霧ノズルの媒体に原料油自体を使用し、噴霧ノズルで原料油の予熱を行い、更に媒体の循環路に温度調整を行う温度調整手段を設けているので、原料油の直接加熱が可能となり、より効率的に設備の運転が可能となる。
【図面の簡単な説明】
【図１】本発明の第１の実施の形態に係るカーボンブラックの製造装置の概略説明図である。
【図２】本発明の第２の実施の形態に係るカーボンブラックの製造装置の概略説明図である。
【図３】本発明の第３の実施の形態に係るカーボンブラックの製造装置の概略説明図である。
【符号の説明】
１０：カーボンブラックの製造装置、１１：炉体、１２：噴霧ノズル、１３：テーパー部、１４：絞り部、１５：燃焼用バーナ、１６：原料油噴出管、１７：媒体流路、１８：外管、１９：内管、２０：外側流路、２１：内側流路、２２：仕切り管、２３：連通部、２４：流入口、２５：流出口、２６：貯留タンク、２７：ポンプ、２８：第１の熱交換器、２９：第２の熱交換器、３１：カーボンブラックの製造装置、３２：原料油タンク、３３：ポンプ、３４：流量計、３５：絞り弁、３６：クーラー、３８：カーボンブラックの製造装置、３９：絞り弁、４０：熱交換器、４１：温度調整手段、４２：弁
【図１】
2004277443.tif 000003
【図２】
2004277443.tif 000004
【図３】
2004277443.tif 000005